(57)【要約】【課題】小規模店舗等の小売業では、日常、釣り銭の準備等が必要であり、営業時間の制約のないコンビニエンスストアでの釣り銭準備や両替のサービスが求められている。【解決手段】ＡＴＭに大容量の硬貨入出金機３０を接続し、現金の出金の予約受付手段１１ａにより、必要な日に確実に釣り銭準備や両替ができるようし、現金の出金の予約受付手段１１ａで入手した情報を基に、硬貨が不足する虞のあるときは、通常の出金取引を停止するか又はセンタシステム３５へ硬貨補充の要請を行う。【選択図】図１
2010086016.tif 000002
【特許請求の範囲】
【請求項１】
利用者の取引媒体を出し入れする受付取出口及び利用者が操作を行う入力操作部を有し、前記取引媒体を介して取引を行う自動取引装置と、
前記自動取引装置に接続され、硬貨の入出金を行う硬貨入出金機とを備えた現金処理システムであって、
前記現金の出金の予約を受け付けて受付番号を発行する予約受付手段と、
前記予約受付手段で取得した予約情報を基に他の利用者の現金の出金を伴う取引の実行の可否を決定する決定手段と、
前記受付番号を入力することにより前記予約受付手段で予約した前記現金を出金する出金手段と、
を有することを特徴とする現金処理システム。
【請求項２】
利用者の取引媒体を出し入れする受付取出口及び前記利用者が操作を行う入力操作部を有し、前記取引媒体を介して取引を行う自動取引装置と、
前記自動取引装置に接続され、硬貨の入出金を行う硬貨入出金機と、
前記利用者の端末機と、
前記自動取引装置及び前記利用者の前記端末機とを接続したセンタシステムとを備えた現金処理システムであって、
前記利用者の前記端末機を使用して現金の出金の予約を前記センタシステムに送信し、前記センタシステムは、受付番号を発行して前記端末機に通知する通知手段と、
前記現金の出金の予約及び前記受付番号を、前記自動取引装置が前記センタシステムから受信する予約受付手段と、
前記予約受付手段で取得した予約情報を基に、他の利用者の現金の出金を伴う取引の実行の可否を決定する決定手段と、
前記受付番号を入力することにより前記予約受付手段で予約した現金を出金する出金手段と、
を有することを特徴とする現金処理システム。
【請求項３】
利用者の取引媒体を出し入れする受付取出口と、利用者が操作を行う入力操作部を有し、前記取引媒体を介して取引を行う自動取引装置と、
前記自動取引装置に接続され、硬貨の入出金を行う硬貨入出金機とを備えた現金処理システムであって、
前記入力操作部に現金出金の予約用の画面を表示し、前記利用者によって入力された予約用のデータを取り込むことにより現金の出金の予約を受け付けて受付番号を発行する予約受付手段と、
前記予約受付手段で取得した予約情報を基に他の利用者の現金の出金を伴う取引の実行の可否を決定する決定手段と、
前記受付番号を入力することにより前記予約受付手段で予約した現金を出金する出金手段と、
を有することを特徴とする現金処理システム。
【請求項４】
前記予約受付手段で取得した予約情報は、前記受付番号、現金の出金予定年月日及び出金予定の金種枚数を含むことを特徴とする請求項１〜３のいずれか１項に記載の現金処理システム。
【請求項５】
前記決定手段は、前記他の利用者の現金の出金を伴う前記取引を実行した場合は、前記自動取引装置及び前記硬貨入出金機に残る金種枚数が予め設定しておいた所定期間内の前記現金出金予定の金種枚数より多いか又は一定数を越えて多ければ前記取引を続行することを特徴とする請求項１〜４のいずれか１項に記載の現金処理システム。
【請求項６】
前記決定手段は、前記他の利用者の現金の出金を伴う前記取引を実行した場合は、前記自動取引装置及び前記硬貨入出金機に残る金種枚数が前記現金出金予定の金種枚数より多いか又は一定数を越えて多ければ前記取引を続行し、そうでなければ、現金出金予定日が本日か否かを比較し、本日であれば前記取引を停止し、本日でなければ前記取引を続行することを特徴とする請求項１〜４のいずれか１項に記載の現金処理システム。
【請求項７】
請求項２記載の予約受付手段、前記決定手段及び前記出金手段とを有することを特徴とする自動取引装置。
【請求項８】
請求項３記載の予約受付手段、前記決定手段及び前記出金手段とを有することを特徴とする自動取引装置。
【請求項９】
現金の出金の予約を受け付けて受付番号を発行する予約受付処理と、
予約受付処理で取得した予約情報を基に他の利用者の現金の出金を伴う取引の実行の可否を決定する決定処理と、
前記受付番号を入力することにより前記予約受付処理で予約した現金を出金する出金処理と、
を有することを特徴とする現金処理方法。
【請求項１０】
利用者の端末機を使用して現金の出金の予約をセンタシステムに送信し、前記センタシステムは、受付番号を発行して前記端末機に通知する通知処理と、
前記現金の出金の予約及び前記受付番号を、自動取引装置が前記センタシステムから受信する予約受付処理と、
前記予約受付処理で取得した予約情報を基に、他の利用者の現金の出金を伴う取引の実行の可否を決定する決定処理と、
前記受付番号を入力することにより前記予約受付処理で予約した現金を出金する出金処理と、
を有することを特徴とする現金処理方法。
【請求項１１】
入力操作部に現金出金の予約用の画面を表示し、利用者によって入力された予約用のデータを取り込むことにより前記現金の出金の予約を受け付けて受付番号を発行する予約受付処理と、
前記予約受付処理で取得した予約情報を基に他の利用者の現金の出金を伴う取引の実行の可否を決定する決定手段と、
前記受付番号を入力することにより前記予約受付手段で予約した現金を出金する出金手段と、
を有することを特徴とする現金処理方法。
【請求項１２】
前記予約受付手段で取得した予約情報は、前記受付番号、現金の出金予定年月日及び出金予定の金種枚数を含むことを特徴とする請求項９〜１１のいずれか１項に記載の現金処理方法。
【請求項１３】
前記決定手段は、前記他の利用者の現金の出金を伴う前記取引を実行した場合は、前記自動取引装置及び前記硬貨入出金機に残る金種枚数が前記現金出金予定の金種枚数より多いか又は一定数を越えて多ければ前記取引を続行し、そうでなければ、現金出金予定日が本日か否かを比較し、本日であれば前記取引を停止し、本日でなければ前記取引を続行することを特徴とする請求項９〜１２のいずれか１項に記載の現金処理方法。
【発明の詳細な説明】
【技術分野】
【０００１】
本発明は、金融機関の店舗、コンビニエンスストア等に設置され、利用者の取引媒体を出し入れする受付取出口と、利用者が操作を行う入力操作部を有し、前記取引媒体を介して所定の取引を行う現金自動預け払い機（以下「ＡＴＭ」という。）等の自動取引装置とその自動取引装置に接続され、硬貨の入出金を行う硬貨入出金機とを有する現金処理システム及び現金処理方法に関するものである。
【背景技術】
【０００２】
コンビニエンスストアに設置されるＡＴＭでは、紙幣のみの取り扱いか、あるいは、釣り銭等の少額の硬貨の入金を目的として硬貨機が接続されており、小売業者で必要となる釣り銭準備金を出力する機能や両替等を目的とした機能はなかった。
【０００３】
上記の現金出金に関する技術は、例えば、次のような文献に記載されている。
【０００４】
【特許文献１】特開２００４−３５５５４０号公報
【０００５】
特許文献１には、キャッシュカード（以下単に「カード」という）による両替を可能とした両替専用機の技術が記載されている。本両替専用機は、両替用の貨幣を受け入れ、指定された金種の貨幣を放出する両替機能と、両替の手数料を徴収する手数料徴収機能を持っており、更にカードＩＤを読み取って手数料を該当の口座から引き落とす手段を有している。
【発明の開示】
【発明が解決しようとする課題】
【０００６】
しかしながら、特許文献１の両替専用機は、銀行等のロビーやＡＴＭ設置コーナー等への設置が想定されており、専用機でもあることから設置スペースに限界があるコンビエンスストアでの設置は不適当である。一方、小規模店舗等の小売業では、日常、釣り銭の準備が必要であり、営業時間に制約のないコンビニエンスストアでの釣り銭準備や両替のサービスが求められている。
【０００７】
既存のＡＴＭの仕組みで釣り銭準備や両替を頻繁に行った場合は、ＡＴＭで収納している紙幣や硬貨の不足をきたし、通常の取引ができない事態が発生することもある。
【課題を解決するための手段】
【０００８】
本発明の現金処理システムは、利用者の取引媒体を出し入れする受付取出口と、利用者が操作を行う入力操作部を有し、前記取引媒体を介して取引を行う自動取引装置と、前記自動取引装置に接続され、硬貨の入出金を行う硬貨入出金機とを有する現金処理システムであって、前記現金の出金の予約を受け付ける予約受付手段と、前記予約受付手段で取得した情報を基に他の利用者の現金の出金を伴う取引の実行の可否を決定する決定手段と、受付番号を入力することにより前記予約受付手段で予約した前記現金を出金する出金手段とを有することを特徴とする。
【０００９】
更に、本発明の現金処理システムは、利用者の取引媒体を出し入れする受付取出口と、利用者が操作を行う入力操作部を有し、前記取引媒体を介して取引を行う自動取引装置と、前記自動取引装置に接続され、硬貨の入出金を行う硬貨入出金機と、前記利用者の端末機と、前記自動取引装置及び前記利用者の前記端末機とを接続したセンタシステムとを有する現金処理システムであって、前記利用者の前記端末機を使用して前記現金の出金の予約を前記センタシステムに通知する通知手段と、前記硬貨の出金の予約情報を前記センタシステムから前記現金の出金の予約を受け付ける前記予約受付手段と、前記予約受付手段で取得した情報を基に前記他の利用者の現金の出金を伴う取引の実行の可否を決定する前記決定手段と、前記受付番号を入力することにより前記予約受付手段で予約した前記現金を出金する出金手段とを有することを特徴とする。
【００１０】
更に、本発明の現金処理システムは、利用者の取引媒体を出し入れする受付取出口と、利用者が操作を行う入力操作部を有し、前記取引媒体を介して取引を行う自動取引装置と、前記自動取引装置に接続され、硬貨の入出金を行う硬貨入出金機とを有する現金処理システムであって、前記自動取引装置の前記入力操作部に現金出金の予約用の画面を表示して前記利用者によって入力された予約用のデータを前記自動取引装置に取り込むことにより前記現金の出金の予約を受け付ける予約受付手段と、前記予約受付手段で取得した情報を基に他の利用者の現金の出金を伴う取引の実行の可否を決定する決定手段と、受付番号を入力することにより前記予約受付手段で予約した前記現金を出金する出金手段とを有することを特徴とする。
【００１１】
更に、本発明の現金処理方法は、現金の出金の予約を受け付ける予約受付処理と、前記予約受付処理で取得した情報を基に他の利用者の現金の出金を伴う取引の実行の可否を決定する決定処理と、受付番号を入力することにより前記予約受付処理で予約した前記現金を出金する出金処理とを有することを特徴とする。
【００１２】
更に、本発明の現金処理方法は、利用者の端末機を使用して前記現金の出金の予約をセンタシステムに通知する通知処理と、前記現金の出金の予約情報をセンタシステムから前記現金の出金の前記予約を受け付ける前記予約受付処理と、前記予約受付手段で取得した情報を元に前記他の利用者の現金の出金を伴う取引の実行の可否を決定する前記決定手段と、前記受付番号を入力することにより前記予約受付手段で予約した前記現金を出金する出金処理とを有することを特徴とする。
【００１３】
更に、本発明の現金処理方法は、前記自動取引装置の前記入力操作部に現金出金の予約用の画面を表示して前記利用者によって入力された予約用のデータを前記自動取引装置に取り込むことにより前記現金の出金の予約を受け付ける予約受付処理と、前記予約受付手段で取得した情報を基に他の利用者の現金の出金を伴う取引の実行の可否を決定する決定処理と、受付番号を入力することにより前記予約受付手段で予約した前記現金を出金する出金処理とを有することを特徴とする現金処理方法。
【発明の効果】
【００１４】
本発明によれば、次の（１）〜（３）のような効果がある。
【００１５】
（１）  ＡＴＭに大容量の硬貨入出金機を接続したため、釣り銭準備や両替を行っても、頻繁にＡＴＭ及び硬貨入出金機で収納している紙幣や硬貨の不足をきたすことがなくなる。
【００１６】
（２）  現金の出金の予約受付手段により、必要な日に確実に釣り銭準備や両替ができるようになる。
【００１７】
（３）  現金の出金の予約受付手段で入手した情報を基に、ＡＴＭ及び硬貨入出金機の収納している紙幣及び硬貨の有り高管理を行うので予期しない現金切れを防止できる。
【発明を実施するための最良の形態】
【００１８】
本発明を実施するための最良の形態は、以下の好ましい実施例の説明を添付図面と照らし合わせて読むと、明らかになるであろう。但し、図面はもっぱら解説のためのものであって、本発明の範囲を限定するものではない。
【実施例１】
【００１９】
（実施例１の構成）
図２は、本発明の実施例１における現金処理システムの全体を示す構成図である。
【００２０】
本実施例１の現金処理システムは、自動取引装置の一つであり、コンビエンスストア等に設置されるＡＴＭ１と、ＡＴＭ１にローカルエリアネットワーク（以下「ＬＡＮ」という）で接続された硬貨入出金機３０と、金融機関のコンピュータセンタ等に設置され、入出金取引等の勘定系取引を実行するセンタシステム３５と、ＡＴＭ１とセンタシステム３５を接続する通信回線３４を有している。
【００２１】
更に、現金処理システムは、インターネット等の通信回線３３を介してセンタシステム３５と接続されるパーソナルコンピュータ（以下「パソコン」と略す）３１及び携帯電話機３２等の端末機を有している。センタシステム３５及び端末機には、現金の出金の予約を端末機からセンタシステム３５に通知する図示しない通知手段が設けられている。
【００２２】
図１は、本発明の実施例１における図２のＡＴＭを示す機能ブロック図である。
【００２３】
以下、一般的なＡＴＭを基に本発明の実施例１のＡＴＭ１について説明する。ＡＴＭ１は、中央処理装置、主記憶装置からなる制御部１１及びハードディスク２１等の不揮発性の補助記憶装置を有している。制御部１１は、プログラム制御によりＡＴＭ１全体を制御するものであり、更に、現金の出金の予約を受け付ける予約受付手段１１ａと、受付手段で取得した情報を基に、他の利用者の現金の出金を伴う取引の実行の可否を決定する決定手段１１ｂと、受付番号を入力することによって予約受付手段１１ａで予約した金種別の現金を出金する出金手段１１ｃとを有している。
【００２４】
ＬＡＮ制御部２は、硬貨入出金機３０を接続するための通信を制御する。制御部１１により制御される入力操作部３は、文字や図形等で構成される操作画面を表示するＬＣＤ画面表示部１２と、表示部１２上に設けられた情報入力のためのタッチパネル入力部１３とを有している。通帳記帳部１４は、通帳挿入取出口６に接続され通帳の記帳処理を行うものであるが通常、コンビニエンスストアに設置されるＡＴＭ１には配備されていない。カードリーダ・ライタ部１５は、カード挿入取出口７に接続され、カードの内容の読み取り書き込みを行うものである。紙幣入出金部１６は、紙幣投入取出口４に接続され、紙幣の真贋を鑑別し、計数し、入出金処理を行う機能を有している。硬貨入出金部１７は、硬貨投入取出口５に接続され、硬貨の真贋を鑑別し、計数し、入出金処理を行うものである。顧客検知センサ１８は、ＡＴＭ１への人の接近を検知するセンサである。通信制御部１９は、ホストコンピュータとの通信を制御する機能を有している。音声案内部２０は、利用者に対する各種案内及び連絡をスピーカ８ａ、８ｂを通じて音声で出力するものである。タイマ部２２は、日付や時刻、時間の管理を行うものである。カメラ制御部２３は、監視カメラに接続されている。
【００２５】
図３は本発明の実施例１におけるＡＴＭに接続される硬貨入出金機３０の概略構成図である。
【００２６】
硬貨の受付取出口である接客口５１は硬貨入出金機３０の上部に設けられており、シャッタ５２を開閉して硬貨の投入、取り出しを行う。硬貨繰出部５３は、接客部５１の底部を開放して入金シュート５４を通じて硬貨を受け入れ、その硬貨を振分搬送路５５へ１枚ごとに分離して水平に繰り出す。振分搬送路５５は、ほぼ水平に配置された下面を有し、上部からベルトにより硬貨を下面との間に挟んで搬送する。
【００２７】
振分搬送路５５には、硬貨の真贋、金種等の判別を行う判別部５６が配置され、その下流に図示しない各種の振分ブレードが配置されている。振分搬送路５５の下部には、６種類の金種別収納庫５７が配置され、図示しない振分ブレードを適宜制御することにより振分搬送路５５を通過する硬貨が所定の金種別収納庫５７に収納される。
【００２８】
硬貨を出金する際には、該当の金種別収納庫５７から図示しない繰出機構により硬貨を１枚ごとに分離して出金搬送路５９に繰り出す。  一括硬貨収納部５８は、すべての金種を一括して収納する。
【００２９】
なお、図示しないが、硬貨入出金機３０の内部には、硬貨の上下移動のため硬貨を収容して上下に搬送する複数のキャリア及び硬貨を重力により下方に滑らせる各種シュート５４があり、これらを用いて硬貨の移動が行われる。
【００３０】
（実施例１のＡＴＭの全体動作）
図４は、図１中の入力操作部３上に表示される取引選択画面例を示す図である。
【００３１】
先ず、図１及び図４を用いて、引き出し取引を例にＡＴＭ１全体の動作を説明する。利用者がＡＴＭ１に接近すると、顧客検知センサ１８がこれを検知し、入力操作部３に電源が投入される。電源が投入されると入力操作部３に、図４の取引選択画面が表示される。図４に示す通り、お預け入れ、お引き出し、お振り込み、残高照会、通帳記入及び暗証番号変更の各取引ボタン３ａが入力操作部３にグラフィック表示され、利用者による取引の選択を促す。利用者がこれらのボタンの１つを選択し、押下することにより、該当する取引が開始される。
【００３２】
例えば、利用者が自口座から現金を引き出すときは、お引き出しボタン（以下単に「引き出しボタン」という）３ａを押下する。引き出しボタン３ａの押下により、引き出し取引が開始され、通帳及びカードの插入を促すメッセージが操作画面に表示される。通帳が、通帳挿入取出口６に挿入されると、通帳記帳部１４はこれを取り込み、記帳の準備を行う。カード挿入取出口７にカードが挿入されると、カードリーダ・ライタ部１５は、カードの記憶内容を読み取り、主制御装置１１内の主記憶装置に記憶する。カードには、金融機関コードや利用者の口座番号、氏名等の利用者情報が記憶されている。
【００３３】
次に、入力操作部３には、暗証番号を入力するための操作画面が表示される。利用者により暗証番号が入力されると、利用者の希望する引き出し額を入力するための操作画面が表示される。この操作画面を用いて、利用者により引き出し額が入力される。続いて、口座番号、金額、暗証番号等が主制御部１１で編集され、通信制御部１９を経由して、ホストコンピュータに送信される。ホストコンピュータでは、ＡＴＭ１からの電文を受信すると、受信した口座番号から当該利用者の口座ファイルから口座情報を読み出し、受信した暗証番号とホストコンピュータが保持している暗証番号とが一致するかチェックする。
【００３４】
暗証番号が不一致のときは、ホストコンピュータは、その旨をＡＴＭ１に送信する。ＡＴＭ１は、暗証番号入力画面を入力操作部３に表示し、利用者に暗証番号の再入力を促す。暗証番号が一致したときは、ホストコンピュータは、当該取引を有効とし、当該口座ファイルの残高から受信した入金額を減算し新残高とする。未記帳分の通帳記帳データがあれば、新残高とともにＡＴＭ１に送る。ＡＴＭ１では、これを受信すると、通帳記帳部１４で取り込んだ通帳にホストコンピ
【００３５】
同時に、紙幣入出金部１６では、ＡＴＭ１内部の収納庫３４から紙幣を取り出し、計数し、紙幣投入取出口４にセットする。硬貨入出金部１７も同様に、図示しない収納庫から硬貨を取り出し、計数し、硬貨投入取出口５にセットする。次に、入力操作部３には、通帳、カード及び現金の取り出しを促すメッセージが表示され、利用者は、通帳挿入取出口６、カード挿入取出口７及び紙幣投入取出口４、硬貨投入取出口５から通帳、キャッシュカード及び現金を取り出す。
【００３６】
（実施例１の現金出金の方法）
図５は、図２の現金処理システムにおける現金処理方法の予約受付時の処理を示すフローチャートである。
【００３７】
釣り銭準備金又は両替を希望する利用者は、パソコン３１又は携帯電話機３２を使って所定のセンタシステム３５と接続する（ステップＳ１）。センタシステム３５の制御で現金の出金の予約のための画面がパソコン３１又は携帯電話機３２の表示部に表示される（ステップＳ２）。利用者は、出金予定年月日、出金予定の金種枚数、及び使用ＡＴＭ番号を入力し（ステップＳ３）、センタシステム３５に送信する（ステップＳ４）。
【００３８】
センタシステム３５は、受付番号を採番してパソコン３１又は携帯電話機３２に返送し（ステップＳ５）、パソコン３１又は携帯電話機３２は、受付番号を記録する（ステップ６）。センタシステム３５は、出金予定年月日、出金予定の金種枚数、及び受付番号をＡＴＭ１に送信し（ステップＳ７）、ＡＴＭ１では、出金予定年月日、出金予定の金種枚数、及び受付番号を受信し、これをハードディスク２１に記録する（ステップＳ８）。以上で予約受付時の処理が完了する。
【００３９】
次に、利用者は、現金出金の当日に、該当のＡＴＭ１が設置されているコンビニエンススト等に出向き、ＡＴＭ１を使用して出金を行う。例えば、図４に示す取引選択画面において，図示しない出金実行のボタンを設け、これが押下されたときは、出金手段１１ｃにより、図示しない受付番号入力画面を表示する。ここで、利用者が、受付番号を入力し確認ボタンを押下すると出金手段１１ｃは、受付番号から出金の予約情報を検索して図示しない現金出金実行画面を表示する。
【００４０】
現金出金実行画面には、出金予定年月日、出金予定の金種枚数等が表示される。利用者は、表示内容を確認して確認ボタンを押下すると、カード挿入を促すメッセージを表示し、カードが挿入されると暗証番号入力画面を表示する。入力された暗証番号と出金予定金額をセンタシステム３５に送信して本人確認処理を行う。センタシステム３５では、当該の口座の残高を出金予定金額で更新し、取引成立の旨をＡＴＭ１に返送する。出金手段１１ｃは、予約されていた出金予定の金種枚数をＡＴＭ１の紙幣投入取出口４及び硬貨入出金機３０の接客口５１に放出する。以上で現金の出金の処理が完了する。
【００４１】
図６は、図２の現金処理システムにおける現金処理方法の他の利用者による通常取引時の処理を示すフローチャートである。
【００４２】
すでに（実施例１のＡＴＭの全体動作）で説明したように引き出し取引を例に実施例１の通常取引時の処理について説明する。
【００４３】
他の利用者により引き出し取引が選択され（ステップＳ３１）、暗証番号の入力（ステップＳ３２）、金額入力（ステップＳ３３）が行われる。ＡＴＭ１は、入力された金額から出金に必要な金種別の硬貨の枚数を計算し（ステップＳ３５）、この枚数を硬貨入出金機３０の収納枚数から減算し、その残りの枚数が予約受付手段１１ａで予約された出金予定の枚数より多いか又は一定数を越えて多いかを調べ（ステップＳ３６、３７）、多いときは当該取引を続行する（ステップＳ４１）。
【００４４】
そうでないときは、本日は出金予定日かを調べ（ステップＳ３８）、出金予定日のときは取引ができない旨表示し当該取引を中断し（ステップＳ３９）、本日が出金予定日でないときは、センタシステム３５へ現金の補充を要請して（ステップＳ４０）当該取引を続行する（ステップＳ４１）。
【００４５】
（実施例１の効果）
本実施例１によれば、次の（１）〜（４）の効果がある。
【００４６】
（１）  ＡＴＭに大容量の硬貨入出金機３０を接続したため、釣り銭準備や両替を行っても、頻繁にＡＴＭ１及び硬貨入出金機３０で収納している紙幣や硬貨の不足をきたすことがなくなる。
【００４７】
（２）  現金の出金の予約受付手段１１ａにより、必要な日に確実に釣り銭準備や両替ができるようになる。
【００４８】
（３）  現金の出金の予約受付手段１１ａで入手した情報を基に、硬貨が不足する虞のあるときは、通常の出金取引を停止するか又はセンタシステム３５へ硬貨補充の要請を行うので予期しない現金切れを防止できる。
【００４９】
（４）  パソコン３１又は携帯電話機３２から現金の出金の予約ができるので利用者への利便性が向上する。
【実施例２】
【００５０】
（実施例２の構成）
本発明の実施例２における現金処理システムは、実施例１とほぼ同様のＡＴＭ１及び硬貨入手金装置３０を有している。
【００５１】
（実施例２の現金出金の方法）
図７は、本発明の実施例２における現金出金予約画面の例を示す図である。
【００５２】
実施例１では、パソコン３１又は携帯電話機３２を使用して現金の出金の予約をセンタシステム３５に通知し、ＡＴＭ１でセンタシステム３５からの予約情報を受け付ける予約受付処理を説明したが、実施例２は、ＡＴＭ１の入力操作部３に現金出金の予約用の画面を表示して利用者が直接、予約情報を入力して予約する方法である。
【００５３】
例えば、図４に示す取引選択画面において，図示しない出金予約のボタンを設け、これが押下されたときは、図７に示す現金出金予約画面を表示する。ここで、利用者が、使用予定ＡＴＭ番号３ｂ、出金予定日３ｃ、出金予定の金種別枚数３ｄを入力すると、ＡＴＭ１は合計金額を計算して表示欄３ｅに表示する。利用者が確認ボタン３ｆを押下するとＡＴＭ１は、受付番号を印刷したレシート発行し、予約受付処理が完了する。ここで、使用予定ＡＴＭ番号は、入力必須ではなく、入力のないときは、現在入力中のＡＴＭが出金用のＡＴＭになる。
【００５４】
（実施例２の効果）
実施例２によれば、実施例１の（１）〜（３）の効果に加え、現金の出金がＡＴＭ１のみの改造で可能なこと、利用者にとって操作が簡便で容易なことが挙げられる。
【００５５】
（変形例）
本発明は、上記実施例に限定されず、種々の利用形態や変形が可能である。この利用形態や変形例としては、例えば、次の（ａ）〜（ｃ）のようなものがある。
【００５６】
（ａ）  自動取引装置は、コンビニエンスストア等に設置されるＡＴＭのみに限定されない。銀行のロビー等に設置されるＡＴＭでもよいし、顧客による操作で取引を行う装置で、現金を扱うものであれば、広く適用ができる。例えば、駅などに設置される券売機、空港などに設置される航空券発行機、スーパーマーケットに設置されるセルフレジ等が考えられる。
【００５７】
（ｂ）  実施例１では、センタシステム３５として勘定系のホストコンピュータを想定したが、専用のサーバシステムであってもよい。
【００５８】
（ｃ）  実施例１では、ＡＴＭ１と硬貨入出金機３０とは、ＬＡＮで接続したが、特に限定しない。任意の手段で接続可能である。
【００５９】
（d）  実施例１では、ステップＳ３８で本日は出勤予定日か否かを判断して、判断結果によりＳ３９、Ｓ４０の各動作に移行するようにしたが、決定手段は、他の利用者の現金の出金を伴う取引を実行した場合は、自動取引装置及び硬貨入出金機に残る金種枚数が予め設定しておいた所定期間内の現金出金予定の金種枚数より多いか又は一定数を越えて多ければ取引を続行するようにしてもよい。
【図面の簡単な説明】
【００６０】
【図１】本発明の実施例１における図２のＡＴＭを示す機能ブロック図である。
【図２】本発明の実施例１における現金処理システムの全体を示す構成図である。
【図３】本発明の実施例１におけるＡＴＭに接続される硬貨入出金機３０の概略構成図である。
【図４】図１中の入力操作部３上に表示される取引選択画面例を示す図である。
【図５】図２の現金処理システムにおける現金処理方法の予約受付時の処理を示すフローチャートである。
【図６】図２の現金処理システムにおける現金処理方法の他の利用者による通常取引時の処理を示すフローチャートである。
【図７】本発明の実施例２における現金出金予約画面の例を示す図である。
【符号の説明】
【００６１】
１          ＡＴＭ１
２          ＬＡＮ制御部
３          入力操作部
１１        制御部
１１ａ      予約受付手段
１１ｂ      決定手段
１１ｃ      出金手段
３０        硬貨入出金機
３１        パーソナルコンピュータ
３２        携帯電話機
３５        センタシステム
【図１】
2010086016.tif 000003
【図２】
2010086016.tif 000004
【図３】
2010086016.tif 000005
【図４】
2010086016.tif 000006
【図５】
2010086016.tif 000007
【図６】
2010086016.tif 000008
【図７】
2010086016.tif 000009